(57)【要約】【課題】  熱交換器を覆うことなくその上端の離間部に設けられた遮風板の開口を正確に開閉できるとともに、該箇所の高さ寸法を抑えて本体の小型化に寄与できるようにした空気調和機を提供する。【解決手段】  吸込口１と吹出口２とを結ぶ空気通路に、上端に離間部４を有して前後に配置した第一熱交換器５ａおよび第二熱交換器５ｂと、送風ファン６とを設け、前記離間部４に開口を有する遮風板６を設けてなる空気調和機において、前記遮風板６の開口が、シート状の遮蔽部材１０を備えた開閉装置７で開閉される構成にした。【選択図】  図１
2008202835.tif 000002
【特許請求の範囲】
【請求項１】
吸込口と吹出口とを結ぶ空気通路に、上端に離間部を有して前後に配置した第一熱交換器および第二熱交換器と、送風ファンとを設け、前記離間部に開口を有する遮風板を設けてなる空気調和機において、
前記遮風板の開口が、シート状の遮蔽部材を備えた開閉装置で開閉されてなることを特徴とする空気調和機。
【請求項２】
前記開閉装置が、前記開口の前後に夫々設けられた第一ローラおよび第二ローラと、これら第一ローラおよび第二ローラの間に巻架され、前記開口に対応する通気孔を備えた前記遮蔽部材とで構成されてなることを特徴とする請求項１に記載の空気調和機。
【請求項３】
前記開閉装置に、前記遮蔽部材の前端部を収容しながら折り返すガイドが設けられてなることを特徴とする請求項２に記載の空気調和機。
【発明の詳細な説明】
【技術分野】
【０００１】
本発明は、空気調和機に係わり、より詳細には、熱交換器と空気流路の構成に関する。
【背景技術】
【０００２】
従来の空気調和機は、冷房運転時の冷房能力を低下させずに吹出温度を上げ、冷え過ぎを防止し快適性を向上させたものとして、図８に示すように、本体の前面部２ａ’の上方、下方に、各々形成された第一の吸込口２ａ１と吹出口２ａ２と、上面部２ｂに形成された第二の吸込口２ｂ１と、前記第一、第二の吸込口２ａ１，２ｂ１と前記吹出口２ａ２を結ぶ空気通路に配設され略ハ字状に配置した第一の熱交換器４ａ’と第二の熱交換器４ｂ’からなる熱交換器および送風機３’とを配設し、前記第一の熱交換器４ａ’と前記第二の熱交換器４ｂ’の上端間に配置され開口を有する遮風板５’と、開口を開閉すべく前記遮風板５’に回動自在に取り付けられた開閉扉６’からなる構成が開示されている（例えば、特許文献１参照。）。
【０００３】
しかしながら、上述した構成でなる空気調和機においては、前記第二の吸込口２ｂ１を臨ませた前記開閉扉６’が回動自在に取り付けられるだけのスペースを確保する必要があることから、該箇所の上下方向の寸法を抑えにくくなるため、空気調和機本体の小型化に寄与するのが困難になっていた。
【０００４】
また、図示はしないが、前記遮風板の開口が、同開口に対応する通気孔を有して前後にスライド可能な開閉板によって開閉される構成にした場合は、回動自在な前記開閉扉に較べて該箇所の上下方向の寸法を抑えやすくなる反面、スライド時に、前記遮風板の開口を全開するだけの移動量を正確に確保するのが困難になったり、前記開閉板の一部が熱交換器の上部を覆うようになって、同熱交換器に向かう前記第二の吸込口からの吸込空気の一部を遮蔽してしまうおそれがあった。
【０００５】
また、前記遮風板の開口がスライド可能な開閉板によって閉じられる際、このスライド可能な開閉板のクリアランスにより、前記遮風板の開口を正確に閉じることができにくいという問題点を有していた。
【特許文献１】特開２０００−３９１６８号公報
【発明の開示】
【発明が解決しようとする課題】
【０００６】
そこで、本発明は上述した課題を解決するためになされたものであって、その目的は、熱交換器の上端の離間部に設けられた遮風板の開口を正確に開閉する開閉用の部材が移動するのに必要なスペースを抑えて本体の小型化に寄与できるようにした空気調和機を提供することにある。
【課題を解決するための手段】
【０００７】
上述した目的を達成するため、本発明は以下に示す特徴を備えている。
【０００８】
吸込口と吹出口とを結ぶ空気通路に、上端に離間部を有して前後に配置した第一熱交換器および第二熱交換器と、送風ファンとを設け、前記離間部に開口を有する遮風板を設けてなる空気調和機において、
前記遮風板の開口が、シート状の遮蔽部材を備えた開閉装置で開閉されてなることを特徴としている。
【０００９】
また、前記開閉装置が、前記開口の前後に夫々設けられた第一ローラおよび第二ローラと、これら第一ローラおよび第二ローラの間に巻架され、前記開口に対応する通気孔を備えた前記遮蔽部材とで構成されてなることを特徴としている。
【００１０】
また、前記開閉装置に、前記遮蔽部材の前端部を収容しながら折り返すガイドが設けられてなることを特徴としている。
【発明の効果】
【００１１】
本発明によれば、熱交換器の上端の離間部に設けられた遮風板の開口を正確に開閉する開閉用の部材が移動するのに必要なスペースを抑えて本体の小型化に寄与できるようにした空気調和機を提供できる。
【発明を実施するための最良の形態】
【００１２】
次に、本発明の実施形態について図面を参照しながら説明する。
【００１３】
図１は本発明による空気調和機の断面図であり、図２は本発明による空気調和機の第一の実施例を示す要部断面図であり、図３は本発明による空気調和機の第一の実施例を示す要部説明図で、図３（Ａ）は遮風板に開閉装置を取り付けた状態を示す斜視図、図３（Ｂ）は開閉装置を取り付けた遮風板を熱交換器の上部に取り付けた状態を示す斜視図であり、図４は本発明による空気調和機の第一の実施例を示す要部説明図で、図４（Ａ）は開閉装置を示す斜視図、図４（Ｂ）は遮風板の開口を閉じた状態を示す断面図、図４（Ｃ）は遮風板の開口を開いた状態を示す断面図であり、図５は本発明による空気調和機の第二の実施例を示す要部断面図であり、図６は本発明による空気調和機の第二の実施例を示す要部説明図で、図６（Ａ）は遮風板に開閉装置を取り付けた状態を示す斜視図、図６（Ｂ）は開閉装置を取り付けた遮風板を熱交換器の上部に取り付けた状態を示す斜視図であり、図７は本発明による空気調和機の第二の実施例を示す要部説明図で、図７（Ａ）は開閉装置を示す斜視図、図７（Ｂ）は遮蔽部材の前端部を導入するガイドの断面図、図７（Ｃ）は遮蔽部材の前端部を導入したガイドの断面図である。
【００１４】
本発明に係る空気調和機は、図１乃至図３に示すように、吸込口１と吹出口２とを結ぶ空気通路に、フィルタ３と、上端に離間部４を有して前後に配置した第一熱交換器５ａおよび第二熱交換器５ｂからなる熱交換器５と、送風ファンＦとを設けている。
【００１５】
前記離間部４には開口６ａを有する遮風板６が設けられるとともに、同遮風板６に前記開口６ａを開閉する開閉装置７が設けられている。
【００１６】
前記離間部４に前記開口６ａを有する遮風板６が設けられたことで、例えば冷房運転時に、前記吸込口１から吸い込まれた空気が前記熱交換器５によって熱交換されるとともに、同吸込口１から吸い込まれた空気の一部が前記開口６ａを流通して熱交換された空気と混合することになる。
【００１７】
これにより、前記吹出口２に送出される空気は、例えば前記熱交換器５で熱交換された冷気と前記開口６ａを流通した空気とが混合することで被空調室の冷え過ぎを防止できるようになる。
【００１８】
また、前記遮風板６には、同遮風板６の開口６ａを開閉するための可撓性（弾性）を有するシート状の遮蔽部材１０を備えた開閉装置７が設けられたことで、同開口６ａを開放し開度を調整して流通する空気の流量を加減したり、同開口６ａを閉鎖することができるようになっている。
【００１９】
前記開閉装置７は、前記遮風板６の開口６ａを開閉するための可撓性（弾性）を有するシート状の遮蔽部材１０を備えた構成にしたことで、前記開口６ａが前記遮蔽部材１０によって閉じられる際、同開口６ａに吸われる空気によって、同開口６ａをシート状の遮蔽部材１０で正確に閉鎖するようにピタッと閉じることができやすい構成になっている。
【００２０】
また、前記開閉装置７は、シート状の遮蔽部材１０を備えた構成であることから、同遮蔽部材１０が移動するのに必要なスペースを抑えることができるようになり、したがって空気調和機本体の上下寸法の小型化に寄与できる。
【実施例１】
【００２１】
ここで、実施例１として示す図２乃至図４に基づいて、前記開閉装置７の構成について詳細に説明する。
【００２２】
前記開閉装置７は、前記遮風板６の開口６ａの前後に夫々設けられた第一ローラ８および第二ローラ９と、これら第一ローラ８および第二ローラ９の間に巻き取り可能に巻架された通気孔１０ａを有するシート状の遮蔽部材１０とで構成されている。
【００２３】
前記遮蔽部材１０は、図４（Ａ）に示すように、前記第二ローラ９寄りに前記通気孔１０ａが設けられ、前記第一ローラ８寄りが前記遮風板６の開口６ａを閉鎖する閉鎖部１０ｂとなっている。
【００２４】
なお、図４（Ａ）に示す前記遮蔽部材１０は、前記第一ローラ８および前記第二ローラ９の間を実際の組付状態よりも大きく離間させた状態で示すことにより、前記通気孔１０ａおよび前記閉鎖部１０ｂを同時に図示している。また、これに伴って前記第一ローラ８および前記第二ローラ９の間に掛け渡された動力伝達用のベルト１４も、図４（Ａ）に示す破線のように、実際の組付状態の場合よりも長く図示している。
【００２５】
これにより、前記遮風板６の開口６ａを閉鎖する際、図４（Ｂ）に示すように、前記第一ローラ８と前記第二ローラ９との間に巻架された前記遮蔽部材１０は、同遮蔽部材１０の閉鎖部１０ｂを前記遮風板６の開口６ａに対向させることで、同開口６ａを閉鎖して前記吸込口１から吸い込まれた空気を流通させないようにできる。
【００２６】
また、前記遮風板６の開口６ａを開放してその開度を調整する際、図４（Ｃ）に示すように、前記遮蔽部材１０は、その前端部（閉鎖部１０ｂ）を矢印のように前記第一ローラ８に巻き取ることにより、同遮蔽部材１０の通気孔１０ａを前記遮風板６の開口６ａに位置合わせして連通させることで、同開口６ａを開放して前記吸込口１から吸い込まれた空気を流通させることができる。
【００２７】
その際、前記遮蔽部材１０は水平方向に移動しながら、その前端部（閉鎖部１０ｂ）が前記第一ローラ８に巻き取られることから、上述した背景技術のように、開閉扉が回動自在に取り付られるだけのスペースを確保する必要がなくなり、該箇所の上下方向の寸法を抑えることができて空気調和機本体の小型化に寄与できるようになる。
【００２８】
また、上述した背景技術のような前後にスライド可能な開閉板を用いた場合と異なり、前記遮風板の開口を正確に全開するだけの移動量を確保するのが容易になったり、前記遮蔽部材１０の一部が熱交換器の上部を覆わなくなるため、同熱交換器に向かう吸込空気の一部を遮蔽してしまうというおそれがない。
【００２９】
前記遮風板６には、前記第一ローラ８を駆動する駆動モータおよび、または歯車からなる駆動装置１１を格納する駆動装置格納部６ｂが設けられており、前記駆動装置１１が連係されることによって前記第一ローラ８が回転し、同第一ローラ８に前記遮蔽部材１０の前端部（閉鎖部１０ｂ）が巻き取られることになる。
【００３０】
なお、前記第一ローラ８および前記第二ローラ９の間には前記ベルト１４が掛け渡されていることから、前記駆動モータを逆回転させた場合には、同駆動モータから前記第二ローラ９に駆動力が伝達されて、同第二ローラ９に前記遮蔽部材１０の後端部（通気孔１０ａ）が巻き取られる。
【実施例２】
【００３１】
次に、実施例１として示す図５乃至図７に基づいて、前記開閉装置７の構成について詳細に説明する。
【００３２】
前記遮蔽部材１０は、図７（Ａ）に示すように、同遮蔽部材１０の後端部に前記通気孔１０ａが設けられ、同遮蔽部材１０の前端部（第一ローラ８寄り）が前記遮風板６の開口６ａを閉鎖する閉鎖部１０ｂとなっており、両側部には、前記第一ローラ８および図示しない前記第二ローラ９の両端に設けられたピニオン８ａに係合する多数の係合孔１０ｃが等間隔に設けられており、また、前記遮蔽部材１０の前端上部には、前記ピニオン８ａから前記係合孔１０ｃが外れないように前記遮蔽部材１０を押える押え棒が設けられている。
【００３３】
また、前記第一ローラ８の前方に隣接して断面略Ｃ字状のガイド１３が設けられており、図７（Ｂ）に示すように、前記遮蔽部材１０の前端部（閉鎖部１０ｂ）が前方に移動した際、同遮蔽部材１０の前端部（閉鎖部１０ｂ）が前記ガイド１３内に収容されるようになり、引き続いて、図７（Ｃ）に示すように、同ガイド１３内で折り返されることで移動量を半減できるようになっている。
【００３４】
これにより、前記遮風板６の開口６ａを閉鎖する際、上述した実施例１の場合と同様に、前記第一ローラ８と前記第二ローラ９（図示せず）との間に巻架された前記遮蔽部材１０は、同遮蔽部材１０の閉鎖部１０ｂを前記遮風板６の開口６ａに対向させることで、同開口６ａを閉鎖して前記吸込口１から吸い込まれた空気を流通させないようにできる。
【００３５】
また、前記遮風板６の開口６ａを開放してその開度を調整する際、前記遮蔽部材１０は、その前端部（閉鎖部１０ｂ）を矢印のように前記ガイド１３に収容しながら折り返すことにより、上述した実施例１の場合と同様に、同遮蔽部材１０の通気孔１０ａを前記遮風板６の開口６ａに位置合わせして連通させることで、同開口６ａを開放して前記吸込口１から吸い込まれた空気を流通させることができる。
【００３６】
その際、前記遮蔽部材１０は水平方向に移動しながら、その前端部（閉鎖部１０ｂ）が前記ガイド１３内に収容されながら折り返されることから、上述した背景技術のように、開閉扉が回動自在に取り付られるだけのスペースを確保する必要がなくなり、該箇所の上下方向の寸法を抑えることができて空気調和機本体の小型化に寄与できるようになる。
【００３７】
また、上述した背景技術のような前後にスライド可能な開閉板を用いた場合と異なり、前記遮風板の開口を正確に全開するだけの移動量を確保するのが容易になったり、前記遮蔽部材１０の一部が熱交換器の上部を覆わなくなるため、同熱交換器に向かう吸込空気の一部を遮蔽してしまうというおそれがない。
【００３８】
前記遮風板６には、前記第一ローラ８を駆動する駆動モータおよび、または歯車からなる駆動装置１１を格納する駆動装置格納部６ｂが設けられており、前記駆動装置１１が連係されることによって前記第一ローラ８が回転し、同第一ローラ８に設けられたピニオン８ａにより前記遮蔽部材１０の前端部（閉鎖部１０ｂ）が前記ガイド１３内に巻き取られることになる。
【図面の簡単な説明】
【００３９】
【図１】本発明による空気調和機の断面図である。
【図２】本発明による空気調和機の第一の実施例を示す要部断面図である。
【図３】本発明による空気調和機の第一の実施例を示す要部説明図で、（Ａ）は遮風板に開閉装置を取り付けた状態を示す斜視図であり、（Ｂ）は開閉装置を取り付けた遮風板を熱交換器の上部に取り付けた状態を示す斜視図である。
【図４】本発明による空気調和機の第一の実施例を示す要部説明図で、（Ａ）は開閉装置を示す斜視図であり、（Ｂ）は遮風板の開口を閉じた状態を示す断面図であり、（Ｃ）は遮風板の開口を開いた状態を示す断面図である。
【図５】本発明による空気調和機の第二の実施例を示す要部断面図である。
【図６】本発明による空気調和機の第二の実施例を示す要部説明図で、（Ａ）は遮風板に開閉装置を取り付けた状態を示す斜視図であり、（Ｂ）は開閉装置を取り付けた遮風板を熱交換器の上部に取り付けた状態を示す斜視図である。
【図７】本発明による空気調和機の第二の実施例を示す要部説明図で、（Ａ）は開閉装置を示す斜視図であり、（Ｂ）は遮蔽部材の前端部を導入するガイドの断面図であり、（Ｃ）は遮蔽部材の前端部を導入したガイドの断面図である。
【図８】従来例による空気調和機の断面図である。
【符号の説明】
【００４０】
１  吸込口
２  吹出口
３  フィルタ
４  離間部
５  熱交換器
５ａ  第一熱交換器
５ｂ  第二熱交換器
Ｆ  送風ファン
６  遮風板
６ａ  開口
６ｂ  駆動装置格納部
７  開閉装置
８  第一ローラ
８ａ  ピニオン
９  第二ローラ
１０  遮蔽部材
１０ａ  通気孔
１０ｂ  遮風部
１１  駆動装置
１２  押え棒
１３  ガイド
１４  ベルト
【図１】
2008202835.tif 000003
【図２】
2008202835.tif 000004
【図３】
2008202835.tif 000005
【図４】
2008202835.tif 000006
【図５】
2008202835.tif 000007
【図６】
2008202835.tif 000008
【図７】
2008202835.tif 000009
【図８】
2008202835.tif 000010